(57)【要約】【課題】電子書類伝送閲覧の認証システムの提供。【解決手段】電子書類伝送閲覧の認証システムは電子装置に設けられ、該認証システムは暗号化電子ファイル、認証端、エージェント、電子認証ファイル及びアプリケーションプログラムを包含し、シリアル制御の認証方式を採用し、アプリケーションプログラムの伝送閲覧中に、一つのノードの管理制御の甘さから暗号化電子ファイルが漏洩する危機を防止し、上述の認証システムにより電子文書に伝送閲覧中の高い安全性を備えさせる。【選択図】図１
0003176584.tif 000002
【実用新案登録請求の範囲】
【請求項１】
電子書類伝送閲覧の認証構造において、該認証構造は電子装置に設けられ、
開かれようとするファイルが設けられた暗号化電子ファイルと、
対比認証される認証端と、
該認証端と接続されて、データを読み取り対比分析を行うエージェントと、
電子認証ファイルであって、第１組シリアルナンバー、第１キー制御パラメータセット及びアプリケーション制御パラメータセットを包含し、且つ該第１キー制御パラメータセット内に第２組シリアルナンバーが設けられ、別に該アプリケーション制御パラメータセット内に第３組シリアルナンバーが設けられ、該電子認証ファイルは該エージェントと接続され、該エージェントによるデータ読み取りと対比分析に供される上記電子認証ファイルと、
アプリケーションプログラムであり、該エージェントと接続され、該エージェントが該認証端を該電子認証ファイル内の第１組シリアルナンバー、第２組シリアルナンバー及び第３組シリアルナンバーと対比した後、該第１キー制御パラメータセット及び該アプリケーション制御パラメータセットを該アプリケーションプログラムに提供し、これにより、該アプリケーションプログラムに該暗号化電子ファイルを開く機能を備えさせ、該暗号化電子ファイル内のファイルを読み取らせ操作使用に供する上記アプリケーションプログラムと、
を包含したことを特徴とする、電子書類伝送閲覧の認証構造。
【請求項２】
請求項１記載の電子書類伝送閲覧の認証構造において、該認証端はオフライン認証担体とされ、該オフライン認証担体内に第４組シリアルナンバー及びパスワードが設けられ、且つ該オフライン認証担体中の第４組シリアルナンバーは該エージェントにより読み取られて該電子認証ファイル中の第１組シリアルナンバー、第２組シリアルナンバー及び第３組シリアルナンバーと相互に符合するかが対比確認されることを特徴とする、電子書類伝送閲覧の認証構造。
【請求項３】
請求項１記載の電子書類伝送閲覧の認証構造において、該認証端はオンライン認証サービスとされ、該オンライン認証サービス内に第５組シリアルナンバー及びエージェントＩＤが設けられ、且つ該オンライン認証サービス中の第５組シリアルナンバーは該エージェントにより読み取られて該電子認証ファイル中の第１組シリアルナンバー、第２組シリアルナンバー及び第３組シリアルナンバーと相互に符合するかが対比確認されることを特徴とする、電子書類伝送閲覧の認証構造。
【請求項４】
請求項３記載の電子書類伝送閲覧の認証構造において、該エージェント中にエージェントＩＤが設けられ、該オンライン認証サービスが該エージェントと接続される時、まず該オンライン認証サービス内のエージェントＩＤが該エージェントのエージェントＩＤと相互に符合するかが対比されることを特徴とする、電子書類伝送閲覧の認証構造。
【請求項５】
請求項１記載の電子書類伝送閲覧の認証構造において、該電子認証ファイルのアプリケーション制御パラメータセット内にさらにアプリケーション制御パラメータが設けられ、該アプリケーション制御パラメータは該暗号化電子ファイルのオープンフォーマット及び該暗号化電子ファイルの操作モードを設定するためのものであることを特徴とする、電子書類伝送閲覧の認証構造。
【請求項６】
請求項１記載の電子書類伝送閲覧の認証構造において、該電子認証ファイルの第１キー制御パラメータセット内にキー制御パラメータ及び第１キーが設けられ、該キー制御パラメータはアクセス権限パラメータリストを包含することを特徴とする、電子書類伝送閲覧の認証構造。
【請求項７】
請求項１記載の電子書類伝送閲覧の認証構造において、該暗号化電子ファイル内に第１キーが設けられたことを特徴とする、電子書類伝送閲覧の認証構造。
【請求項８】
請求項１記載の電子書類伝送閲覧の認証構造において、該電子装置は、パーソナルコンピュータ、シンクライアント（Ｔｈｉｎ  Ｃｌｉｅｎｔ）、タブレット型コンピュータ、ノートブック型コンピュータ、携帯電話、携帯情報端末装置、電子書籍リーダのうち、任意のものとされることを特徴とする、電子書類伝送閲覧の認証構造。
【考案の詳細な説明】
【技術分野】
【０００１】
本考案は電子書類伝送閲覧の認証構造に係り、シリアル制御の認証方式を採用することにより、暗号化電子ファイルに伝送閲覧過程で安全性を備えさせ、各種の電子文書の伝送閲覧、レンタル閲覧或いは類似のファイル読み取り動作に適した電子書類伝送閲覧の認証構造に関する。
【背景技術】
【０００２】
一般に下請け業者はいずれも大手の顧客からのオーダーを受けるのを希望し、特に全ての大手顧客のオーダーを同一の業者が受けることを希望している。しかし、ほとんどの大手顧客は全てを一つの業者に任せて設計或いは製造を行う時、自己の商業機密データがライバル企業に漏洩して、ビジネス損失を被る恐れを懸念している。
【０００３】
一般にこのような事態を避けるための方法としては、ファイルを提供する時に、ファイルにパスワードを与えて保護し、正確なパスワードを入力しなければ、ファイルを開くことができないようにしている。しかし、ファイルを開けた後は、非常に容易にコピー或いは印刷でき、或いはエージェント（Ａｇｅｎｔ）自身が排他性を備えると、異なるソースの安全制御パラメータを読み取る時に、エージェント（Ａｇｅｎｔ）の衝突が発生しやすい。このほか、エージェント（Ａｇｅｎｔ）の暗号化電子ファイルの内容に対する走査制御が不当であるか或いは不足すると、下請け業者がファイルを処理する時、誤ってＡ社のファイルをＢ社のファイル中に保存してしまい、Ａ社のファイルを漏洩してしまう恐れがある。
【０００４】
これにより、本考案者は上述の欠点に鑑み、安全性を備えた電子書類伝送閲覧の認証構造を提供し、同一使用者が簡単に異なるソースの安全制御パラメータを使用できるようにして、使用者に利便性を提供することが本考案創作の動機である。
【考案の概要】
【考案が解決しようとする課題】
【０００５】
本考案の主要な目的は、一種の電子書類伝送閲覧の認証構造を提供することにあり、該認証構造は電子装置に設けられ、該認証構造は、暗号化電子ファイル、認証端、エージェント、電子認証ファイル及びアプリケーションプログラムを包含し、シリアル制御の認証方式を採用し、アプリケーションプログラムの伝送閲覧中に、一つのノードの管理制御の甘さから暗号化電子ファイルが漏洩する危機を防止し、これにより、上述の認証構造により電子文書に伝送閲覧中の高い安全性を備えさせる。
【０００６】
本考案の次の目的は、一種の電子書類伝送閲覧の認証構造を提供することにあり、該認証端はオフライン認証担体とされ、該オフライン認証担体中の第４組シリアルナンバーはエージェント（Ａｇｅｎｔ）により読み取られて電子認証ファイル中の第１組シリアルナンバー、第２組シリアルナンバー、第３組シリアルナンバーとの対比により相互に符合することが確認された後に、エージェント（Ａｇｅｎｔ）が電子認証ファイル中のキー制御パラメータ及びアプリケーション制御パラメータを読み取りアプリケーションプログラムに提供し、これにより電子文書全体認証の安全経路を提供するものとする。
【０００７】
本考案のさらに一つの目的は、一種の電子書類伝送閲覧の認証構造を提供することにあり、それは該認証端がオンライン認証サービスとされ、該オンライン認証サービス中の第５組シリアルナンバーはエージェント（Ａｇｅｎｔ）により読み取られて電子認証ファイル中の第１組シリアルナンバー、第２組シリアルナンバー及び第３組シリアルナンバーと対比されて相互に符合すると確認された後に、エージェント（Ａｇｅｎｔ）が電子認証ファイル中のキー制御パラメータとアプリケーション制御パラメータを読み取ってアプリケーションプログラムに提供し、これにより電子文書全体認証の別の安全な経路を提供する。
【課題を解決するための手段】
【０００８】
本考案の電子書類伝送閲覧の認証構造は、電子装置に設けられ、該認証構造は、暗号化電子ファイル、認証端、エージェント、電子認証ファイル及びアプリケーションプログラムを包含し、該暗号化電子ファイル内には開かれるファイルが保存されている。該認証端は対比認証に供され、且つ、該エージェント（Ａｇｅｎｔ）は該認証端に接続されて、データを読み取り対比分析を行う。また、該電子認証ファイル内に第１組シリアルナンバー、第１キー（ｋｅｙ）制御パラメータセット及びアプリケーション制御パラメータセットが設けられ、且つ該第１キー（ｋｅｙ）制御パラメータセット内に第２組シリアルナンバーが設けられる。また、アプリケーション制御パラメータセット内に第３組シリアルナンバーが設けられ、該電子認証ファイルはエージェント（Ａｇｅｎｔ）と接続され、エージェント（Ａｇｅｎｔ）が認証端を電子認証ファイル内の第１組シリアルナンバー、第２組シリアルナンバー及び第３組シリアルナンバーと対比した後、第１キー（ｋｅｙ）制御パラメータセットをアプリケーション制御パラメータセットをアプリケーションプログラムに提供する。これにより、アプリケーションプログラムが暗号化電子ファイルを開く機能を有し、暗号化電子ファイル内のファイルを読み取って操作使用することができる。
【考案の効果】
【０００９】
本考案の電子書類伝送閲覧の認証構造は電子装置に設けられ、該認証構造は暗号化電子ファイル、認証端、エージェント、電子認証ファイル及びアプリケーションプログラムを包含し、シリアル制御の認証方式を採用し、アプリケーションプログラムの伝送閲覧中に、そのうちの一つのノードの管理制御の甘さから暗号化電子ファイルが漏洩する危機を防止し、これにより、上述の認証構造により電子文書に伝送閲覧中の高い安全性を備えさせる。
【図面の簡単な説明】
【００１０】
【図１】本考案の実施例の構造ブロック図である。
【図２】本考案の実施例のオフライン認証担体の実施ブロック図である。
【図３】本考案の実施例のオンライン認証サービスの実施ブロック図である。
【考案を実施するための形態】
【００１１】
図１から図３を参照されたい。これらは本考案の実施例表示図である。本考案は電子書類伝送閲覧の認証構造であり、それは電子装置に設けられ、該認証構造は、暗号化電子ファイル１０、認証端２０、エージェント（Ａｇｅｎｔ）３０、電子認証ファイル４０及びアプリケーションプログラム５０を包含し、該暗号化電子ファイル１０内に、開きたいファイルが設けられる。
【００１２】
該認証端２０は対比認証に供される。且つ該エージェント（Ａｇｅｎｔ）３０は認証端２０と接続されて、データを読みとって対比分析を実行する。
【００１３】
また、該電子認証ファイル４０内に第１組シリアルナンバー４１、第１キー（ｋｅｙ）制御パラメータセット４２及びアプリケーション制御パラメータセット４３が設けられ、且つ第１キー（ｋｅｙ）制御パラメータセット４２内に第２組シリアルナンバー４２１が設けられ、別にアプリケーション制御パラメータセット４３内に第３組シリアルナンバー４３１が設けられる。該電子認証ファイル４０はエージェント（Ａｇｅｎｔ）３０と接続され、エージェント（Ａｇｅｎｔ）３０がデータを読み取って対比分析を実行するのに供される。
【００１４】
及び、該アプリケーションプログラム５０は該エージェント（Ａｇｅｎｔ）３０と接続され、該エージェント（Ａｇｅｎｔ）３０が認証端２０を電子認証ファイル４０内の第１組シリアルナンバー４１、第２組シリアルナンバー４２１及び第３組シリアルナンバー４３１と対比した後、第１キー（ｋｅｙ）制御パラメータセット４２及びアプリケーション制御パラメータセット４３をアプリケーションプログラム５０に提供する。これにより、アプリケーションプログラム５０はアプリケーションプログラム５０を開く機能を有し、アプリケーションプログラム５０内のファイルを読み取って操作使用に供することができる。
【００１５】
そのうち、該認証端２０にさらにオフライン認証担体２１が設けられ、該オフライン認証担体２１内には第４組シリアルナンバー２１１及びパスワード（Ｐａｓｓｗｏｒｄ）２１２が設けられ、且つ該オフライン認証担体２１中の第４組シリアルナンバー２１１はエージェント（Ａｇｅｎｔ）３０により読み取られて電子認証ファイル４０中の第１組シリアルナンバー４１、第２組シリアルナンバー４２１及び第３組シリアルナンバー４３１と対比されて相互に符合することが確認されなければならない。
【００１６】
また、該認証端２０はさらにオンライン認証サービス２２を備え、該オンライン認証サービス２２内に第５組シリアルナンバー２２１及びエージェントＩＤ２２２が設けられ、且つ該オンライン認証サービス２２中の第５組シリアルナンバー２２１はエージェント（Ａｇｅｎｔ）３０により読み取られて電子認証ファイル４０中の第１組シリアルナンバー４１、第２組シリアルナンバー４２１及び第３組シリアルナンバー４３１と対比され相互に符合することが確認されなければならない。
【００１７】
また、エージェント（Ａｇｅｎｔ）３０中にはさらにエージェントＩＤ３１が設けられ、オンライン認証サービス２２とエージェント（Ａｇｅｎｔ）３０が接続される時、まずオンライン認証サービス２２内のエージェントＩＤ２２２とエージェント（Ａｇｅｎｔ）３０のエージェントＩＤ３１が相互に符合するか否かが対比される。
【００１８】
また、該電子認証ファイル４０のアプリケーション制御パラメータセット４３内にはさらにアプリケーション制御パラメータ４３２が設けられ、該アプリケーション制御パラメータ４３２は暗号化電子ファイル１０のオープンフォーム及び暗号化電子ファイル操作モードを設定するためのものである。また、該電子認証ファイル４０の第１キー（ｋｅｙ）制御パラメータセット４２内にはキー制御パラメータ４２２と第１キー４２３が設けられ、該キー制御パラメータ４２２はアクセス権限パラメータリスト（ＡＣＬ）４２２１を包含する。また、該暗号化電子ファイル１０内にはさらに第１キー１１が設けられる。
【００１９】
また、該電子装置はパーソナルコンピュータ（ＰＣ）、シンクライアント（Ｔｈｉｎ
Ｃｌｉｅｎｔ）、タブレット型コンピュータ、ノートブック型コンピュータ、携帯電話、携帯情報端末装置、或いは電子書籍リーダ等のうち、任意のものとされる。
【００２０】
図１から図３に示されるのは、本考案の実施例の表示図であり、本考案の電子書類伝送閲覧の認証構造の最良の実施方式は電子装置（図示せず）に設けられる。該電子装置は、パーソナルコンピュータ（ＰＣ）、シンクライアント（Ｔｈｉｎ  Ｃｌｉｅｎｔ）、タブレット型コンピュータ、ノートブック型コンピュータ、携帯電話、携帯情報端末装置、或いは電子書籍リーダ等のうち、任意のものとされる。本考案の認証構造は上流のＡ社及び上流のＢ社が暗号化電子ファイル１０を同一の下請けのＣ社に提供する時、下請けのＣ社がＡ社の暗号化電子ファイル１０を不注意からＢ社に転送或いは漏洩するか、或いはＢ社の暗号化電子ファイル１０を不注意からＡ社に転送或いは漏洩するのを防止し、暗号化電子ファイル１０の安全性を確保する。
【００２１】
該認証構造は、暗号化電子ファイル１０、認証端２０、エージェント（Ａｇｅｎｔ）３０、電子認証ファイル４０及びアプリケーションプログラム５０を包含し（図１のとおり）、該暗号化電子ファイル１０内に、開かれたいファイルが設けられる。
【００２２】
該暗号化電子ファイル１０内には第１キー１１が設けられ、該第１キー１１は第１キー（ｋｅｙ）制御パラメータセット４２内の第１キー４２３と同じであり、これにより対比認証が行える。
【００２３】
また、該電子認証ファイル４０内に第１組シリアルナンバー４１、第１キー（ｋｅｙ）制御パラメータセット４２及びアプリケーション制御パラメータセット４３が設けられ、且つ該第１キー（ｋｅｙ）制御パラメータセット４２内に第２組シリアルナンバー４２１、キー制御パラメータ４２２及び第１キー４２３が設けられる。
【００２４】
該キー制御パラメータ４２２はアクセス権限パラメータリスト（ＡＣＬ）４２２１を包含し、これにより暗号化電子ファイル１０の権限パラメータを限定する。これにより、暗号化電子ファイル１０が読み取られる時、アクセス権限パラメータリスト（ＡＣＬ）４２２１の設定により使用の内容が制限或いは開放される。
【００２５】
また、アプリケーション制御パラメータセット４３内に第３組シリアルナンバー４３１及びアプリケーション制御パラメータ４３２が設けられ、該アプリケーション制御パラメータ４３２内に暗号化電子ファイル１０のオープンフォーマットと暗号化電子ファイル１０の操作モードが設定され、たとえば、暗号化電子ファイル１０が設計図ファイルの時、オープンフォーマットは通用のＣＡＤファイルであれば開いて閲覧できるように設定でき、或いはオープンフォーマットをＡＵＴＯＣＡＤソフトウエアのみで開いて閲覧できるようにも限定でき、操作モード中でプリント或いはコピー項目に制限を設けるか否かによりファイルの複製を予防できる。
【００２６】
また、電子認証ファイル４０はエージェント（Ａｇｅｎｔ）３０と接続されて、エージェント（Ａｇｅｎｔ）３０が内部のデータの読み取り或いは取り出して相互に符合するかを対比分析するのに供される。
【００２７】
さらに、該アプリケーションプログラム５０もまたエージェント（Ａｇｅｎｔ）３０と接続され、エージェント（Ａｇｅｎｔ）３０が認証端２０を電子認証ファイル４０内の第１組シリアルナンバー４１、第２組シリアルナンバー４２１及び第３組シリアルナンバー４３１と対比して、相互に符合すると確認した後、該エージェント（Ａｇｅｎｔ）３０は第１キー（ｋｅｙ）制御パラメータセット４２内のキー制御パラメータ４２２及びアプリケーション制御パラメータセット４３のアプリケーション制御パラメータ４３２をアプリケーションプログラム５０に提供し、アプリケーションプログラム５０に暗号化電子ファイル１０を開かせ、暗号化電子ファイル１０内のファイルを操作使用できるようにし、全体の認証構造に安全性を備えさせる。
【００２８】
本考案の上述の構造はシリアル制御の認証方式を採用し、これにより暗号化電子ファイル１０が伝送閲覧中に、一つのノードのエラーによる暗号化電子ファイル１０が漏洩する危機を防止する。たとえば、上流のＡ社及び上流のＢ社が暗号化電子ファイル１０を同一の下請けＣ社に提供する時、そのうち該認証構造は、認証端２０に設けられる。
【００２９】
該認証端２０は二種類が設けられ、一種類はオフライン認証担体２１（図２に示されるとおり）であり、該オフライン認証担体２１はパスワードロックを備えた携帯用ディスク或いは外付け式製品とされ、該オフライン認証担体２１内には第４組シリアルナンバー２１１及びパスワード２１２が設けられる。
【００３０】
該オフライン認証担体２１はエージェント（Ａｇｅｎｔ）３０との接続の後に、まずオフライン認証担体２１内のパスワード（Ｐａｓｓｗｏｒｄ）２１２が同じであるか否かが確認され、同じと確認された後、該オフライン認証担体２１は第４組シリアルナンバー２１１をエージェント（Ａｇｅｎｔ）３０中に送り、並びにエージェント（Ａｇｅｎｔ）３０により電子認証ファイル４０中の第１組シリアルナンバー４１、第１キー（ｋｅｙ）制御パラメータセット４２の第２組シリアルナンバー４２１及びアプリケーション制御パラメータセット４３の第３組シリアルナンバー４３１が読み取られて相互に符合するかが対比され、三者が完全に符合すると確認される場合認証を通過し、エージェント（Ａｇｅｎｔ）３０は第１キー（ｋｅｙ）制御パラメータセット４２内のキー制御パラメータ４２２及びアプリケーション制御パラメータセット４３内のアプリケーション制御パラメータ４３２をアプリケーションプログラム５０に提供し、アプリケーションプログラム５０に暗号化電子ファイル１０を開かせる。
【００３１】
そのうち、特定のアプリケーションプログラム５０でなければ開けないように設定されれば、特定のアプリケーションプログラム５０に符合した時に暗号化電子ファイル１０を開くことができ、或いは暗号化電子ファイル１０を開くためのフォーマットが通用ファイルであれば、いずれも暗号化電子ファイル１０を開くことができる。
【００３２】
本考案の認証構造のもう一種の認証端２０はオンライン認証サービス２２とされ（図３に示されるとおり）、該オンライン認証サービス２２内に第５組シリアルナンバー２２１及びエージェントＩＤ２２２が設けられる。そのうち、該エージェント（Ａｇｅｎｔ）３０中にもエージェントＩＤ３１が設けられる。
【００３３】
オンライン認証サービス２２とエージェント（Ａｇｅｎｔ）３０が接続される時、該エージェント（Ａｇｅｎｔ）３０はまずオンライン認証サービス２２内のエージェントＩＤ２２２がエージェント（Ａｇｅｎｔ）３０のエージェントＩＤ３１と符合するかを対比し、相互に符合することを確認すると、該オンライン認証サービス２２は第５組シリアルナンバー２２１をエージェント（Ａｇｅｎｔ）３０中に伝送し、エージェント（Ａｇｅｎｔ）３０が電子認証ファイル４０中の第１組シリアルナンバー４１、第１キー（ｋｅｙ）制御パラメータセット４２の第２組シリアルナンバー４２１及びアプリケーション制御パラメータセット４３の第３組シリアルナンバー４３１と対比確認し、三者が完全に相互に符合すると、認証通過し、エージェント（Ａｇｅｎｔ）３０が第１キー（ｋｅｙ）制御パラメータセット４２内のキー制御パラメータ４２２及びアプリケーション制御パラメータセット４３内のアプリケーション制御パラメータ４３２をアプリケーションプログラム５０に提供し、アプリケーションプログラム５０に暗号化電子ファイル１０を開かせる。
【００３４】
そのうち、もし特定のアプリケーションプログラム５０でなければ開けないように設定されれば、特定のアプリケーションプログラム５０に符合した時に暗号化電子ファイル１０を開くことができ、或いは暗号化電子ファイル１０を開くためのフォーマットが通用ファイルであれば、いずれも暗号化電子ファイル１０を開くことができる。
【００３５】
これにより、下請けのＣ社が上流のＡ社或いは上流のＢ社のいずれの暗号化電子ファイル１０を開くときにも、いずれもシリアル認証の方式により各ノードがいずれも認証対比を経過する。上述の認証方式を通過しなければ暗号化電子ファイル１０を開けず、そのうち一つのノードの対比において符合しなければ、その暗号化電子ファイル１０は開くことができない。これにより、上述の認証構造により、暗号化電子ファイル１０の伝送閲覧或いはレンタル閲覧が絶対的な機密保持と安全性を有するものとなる。
【００３６】
以上述べたことは、本考案の実施例にすぎず、本考案の実施の範囲を限定するものではなく、本考案の権利請求の範囲に基づき達成可能な同等の変化と修飾は、いずれも本考案の権利のカバーする範囲内に属するものとする。
【符号の説明】
【００３７】
１０  暗号化電子ファイル
１１  第１キー（ｋｅｙ）
２０  認証端
２１  オフライン認証担体
２１１  第４組シリアルナンバー
２１２  パスワード（Ｐａｓｓｗｏｒｄ）
２２  オンライン認証サービス
２２２  エージェントＩＤ
３０  エージェント（Ａｇｅｎｔ）
３１  エージェントＩＤ
４０  電子認証ファイル
４１  第１組シリアルナンバー
４２  第１キー（ｋｅｙ）制御パラメータセット
４２１  第２組シリアルナンバー
４２２  キー制御パラメータ
４２２１  アクセス権限パラメータリスト（ＡＣＬ）
４２３  第１キー（ｋｅｙ）
４３  アプリケーション制御パラメータセット
４３１  第３組シリアルナンバー
４３２  アプリケーション制御パラメータ
５０  アプリケーションプログラム
【図１】
0003176584.tif 000003
【図２】
0003176584.tif 000004
【図３】
0003176584.tif 000005
【手続補正書】
【提出日】平成24年4月16日(2012.4.16)
【手続補正１】
【補正対象書類名】明細書
【補正対象項目名】全文
【補正方法】変更
【補正の内容】
【考案の詳細な説明】
【技術分野】
【０００１】
本考案は電子書類伝送閲覧の認証システムに係り、シリアル制御の認証方式を採用することにより、暗号化電子ファイルに伝送閲覧過程で安全性を備えさせ、各種の電子文書の伝送閲覧、レンタル閲覧或いは類似のファイル読み取り動作に適した電子書類伝送閲覧の認証システムに関する。
【背景技術】
【０００２】
一般に下請け業者はいずれも大手の顧客からのオーダーを受けるのを希望し、特に全ての大手顧客のオーダーを同一の業者が受けることを希望している。しかし、ほとんどの大手顧客は全てを一つの業者に任せて設計或いは製造を行う時、自己の商業機密データがライバル企業に漏洩して、ビジネス損失を被る恐れを懸念している。
【０００３】
一般にこのような事態を避けるための方法としては、ファイルを提供する時に、ファイルにパスワードを与えて保護し、正確なパスワードを入力しなければ、ファイルを開くことができないようにしている。しかし、ファイルを開けた後は、非常に容易にコピー或いは印刷でき、或いはエージェント（Ａｇｅｎｔ）自身が排他性を備えると、異なるソースの安全制御パラメータを読み取る時に、エージェント（Ａｇｅｎｔ）の衝突が発生しやすい。このほか、エージェント（Ａｇｅｎｔ）の暗号化電子ファイルの内容に対する走査制御が不当であるか或いは不足すると、下請け業者がファイルを処理する時、誤ってＡ社のファイルをＢ社のファイル中に保存してしまい、Ａ社のファイルを漏洩してしまう恐れがある。
【０００４】
これにより、本考案者は上述の欠点に鑑み、安全性を備えた電子書類伝送閲覧の認証システムを提供し、同一使用者が簡単に異なるソースの安全制御パラメータを使用できるようにして、使用者に利便性を提供することが本考案創作の動機である。
【考案の概要】
【考案が解決しようとする課題】
【０００５】
本考案の主要な目的は、一種の電子書類伝送閲覧の認証システムを提供することにあり、該認証システムは電子装置に設けられ、該認証システムは、暗号化電子ファイル、認証端、エージェント、電子認証ファイル及びアプリケーションプログラムを包含し、シリアル制御の認証方式を採用し、アプリケーションプログラムの伝送閲覧中に、一つのノードの管理制御の甘さから暗号化電子ファイルが漏洩する危機を防止し、これにより、上述の認証システムにより電子文書に伝送閲覧中の高い安全性を備えさせる。
【０００６】
本考案の次の目的は、一種の電子書類伝送閲覧の認証システムを提供することにあり、該認証端はオフライン認証担体とされ、該オフライン認証担体中の第４組シリアルナンバーはエージェント（Ａｇｅｎｔ）により読み取られて電子認証ファイル中の第１組シリアルナンバー、第２組シリアルナンバー、第３組シリアルナンバーとの対比により相互に符合することが確認された後に、エージェント（Ａｇｅｎｔ）が電子認証ファイル中のキー制御パラメータ及びアプリケーション制御パラメータを読み取りアプリケーションプログラムに提供し、これにより電子文書全体認証の安全経路を提供するものとする。
【０００７】
本考案のさらに一つの目的は、一種の電子書類伝送閲覧の認証システムを提供することにあり、それは該認証端がオンライン認証サービスとされ、該オンライン認証サービス中の第５組シリアルナンバーはエージェント（Ａｇｅｎｔ）により読み取られて電子認証ファイル中の第１組シリアルナンバー、第２組シリアルナンバー及び第３組シリアルナンバーと対比されて相互に符合すると確認された後に、エージェント（Ａｇｅｎｔ）が電子認証ファイル中のキー制御パラメータとアプリケーション制御パラメータを読み取ってアプリケーションプログラムに提供し、これにより電子文書全体認証の別の安全な経路を提供する。
【課題を解決するための手段】
【０００８】
本考案の電子書類伝送閲覧の認証システムは、電子装置に設けられ、該認証システムは、暗号化電子ファイル、認証端、エージェント、電子認証ファイル及びアプリケーションプログラムを包含し、該暗号化電子ファイル内には開かれるファイルが保存されている。該認証端は対比認証に供され、且つ、該エージェント（Ａｇｅｎｔ）は該認証端に接続されて、データを読み取り対比分析を行う。また、該電子認証ファイル内に第１組シリアルナンバー、第１キー（ｋｅｙ）制御パラメータセット及びアプリケーション制御パラメータセットが設けられ、且つ該第１キー（ｋｅｙ）制御パラメータセット内に第２組シリアルナンバーが設けられる。また、アプリケーション制御パラメータセット内に第３組シリアルナンバーが設けられ、該電子認証ファイルはエージェント（Ａｇｅｎｔ）と接続され、エージェント（Ａｇｅｎｔ）が認証端を電子認証ファイル内の第１組シリアルナンバー、第２組シリアルナンバー及び第３組シリアルナンバーと対比した後、第１キー（ｋｅｙ）制御パラメータセットをアプリケーション制御パラメータセットをアプリケーションプログラムに提供する。これにより、アプリケーションプログラムが暗号化電子ファイルを開く機能を有し、暗号化電子ファイル内のファイルを読み取って操作使用することができる。
【考案の効果】
【０００９】
本考案の電子書類伝送閲覧の認証システムは電子装置に設けられ、該認証システムは暗号化電子ファイル、認証端、エージェント、電子認証ファイル及びアプリケーションプログラムを包含し、シリアル制御の認証方式を採用し、アプリケーションプログラムの伝送閲覧中に、そのうちの一つのノードの管理制御の甘さから暗号化電子ファイルが漏洩する危機を防止し、これにより、上述の認証システムにより電子文書に伝送閲覧中の高い安全性を備えさせる。
【図面の簡単な説明】
【００１０】
【図１】本考案の実施例の構造ブロック図である。
【図２】本考案の実施例のオフライン認証担体の実施ブロック図である。
【図３】本考案の実施例のオンライン認証サービスの実施ブロック図である。
【考案を実施するための形態】
【００１１】
図１から図３を参照されたい。これらは本考案の実施例表示図である。本考案は電子書類伝送閲覧の認証システムであり、それは電子装置に設けられ、該認証システムは、暗号化電子ファイル１０、認証端２０、エージェント（Ａｇｅｎｔ）３０、電子認証ファイル４０及びアプリケーションプログラム５０を包含し、該暗号化電子ファイル１０内に、開きたいファイルが設けられる。
【００１２】
該認証端２０は対比認証に供される。且つ該エージェント（Ａｇｅｎｔ）３０は認証端２０と接続されて、データを読みとって対比分析を実行する。
【００１３】
また、該電子認証ファイル４０内に第１組シリアルナンバー４１、第１キー（ｋｅｙ）制御パラメータセット４２及びアプリケーション制御パラメータセット４３が設けられ、且つ第１キー（ｋｅｙ）制御パラメータセット４２内に第２組シリアルナンバー４２１が設けられ、別にアプリケーション制御パラメータセット４３内に第３組シリアルナンバー４３１が設けられる。該電子認証ファイル４０はエージェント（Ａｇｅｎｔ）３０と接続され、エージェント（Ａｇｅｎｔ）３０がデータを読み取って対比分析を実行するのに供される。
【００１４】
及び、該アプリケーションプログラム５０は該エージェント（Ａｇｅｎｔ）３０と接続され、該エージェント（Ａｇｅｎｔ）３０が認証端２０を電子認証ファイル４０内の第１組シリアルナンバー４１、第２組シリアルナンバー４２１及び第３組シリアルナンバー４３１と対比した後、第１キー（ｋｅｙ）制御パラメータセット４２及びアプリケーション制御パラメータセット４３をアプリケーションプログラム５０に提供する。これにより、アプリケーションプログラム５０はアプリケーションプログラム５０を開く機能を有し、アプリケーションプログラム５０内のファイルを読み取って操作使用に供することができる。
【００１５】
そのうち、該認証端２０にさらにオフライン認証担体２１が設けられ、該オフライン認証担体２１内には第４組シリアルナンバー２１１及びパスワード（Ｐａｓｓｗｏｒｄ）２１２が設けられ、且つ該オフライン認証担体２１中の第４組シリアルナンバー２１１はエージェント（Ａｇｅｎｔ）３０により読み取られて電子認証ファイル４０中の第１組シリアルナンバー４１、第２組シリアルナンバー４２１及び第３組シリアルナンバー４３１と対比されて相互に符合することが確認されなければならない。
【００１６】
また、該認証端２０はさらにオンライン認証サービス２２を備え、該オンライン認証サービス２２内に第５組シリアルナンバー２２１及びエージェントＩＤ２２２が設けられ、且つ該オンライン認証サービス２２中の第５組シリアルナンバー２２１はエージェント（Ａｇｅｎｔ）３０により読み取られて電子認証ファイル４０中の第１組シリアルナンバー４１、第２組シリアルナンバー４２１及び第３組シリアルナンバー４３１と対比され相互に符合することが確認されなければならない。
【００１７】
また、エージェント（Ａｇｅｎｔ）３０中にはさらにエージェントＩＤ３１が設けられ、オンライン認証サービス２２とエージェント（Ａｇｅｎｔ）３０が接続される時、まずオンライン認証サービス２２内のエージェントＩＤ２２２とエージェント（Ａｇｅｎｔ）３０のエージェントＩＤ３１が相互に符合するか否かが対比される。
【００１８】
また、該電子認証ファイル４０のアプリケーション制御パラメータセット４３内にはさらにアプリケーション制御パラメータ４３２が設けられ、該アプリケーション制御パラメータ４３２は暗号化電子ファイル１０のオープンフォーム及び暗号化電子ファイル操作モードを設定するためのものである。また、該電子認証ファイル４０の第１キー（ｋｅｙ）制御パラメータセット４２内にはキー制御パラメータ４２２と第１キー４２３が設けられ、該キー制御パラメータ４２２はアクセス権限パラメータリスト（ＡＣＬ）４２２１を包含する。また、該暗号化電子ファイル１０内にはさらに第１キー１１が設けられる。
【００１９】
また、該電子装置はパーソナルコンピュータ（ＰＣ）、シンクライアント（Ｔｈｉｎ
Ｃｌｉｅｎｔ）、タブレット型コンピュータ、ノートブック型コンピュータ、携帯電話、携帯情報端末装置、或いは電子書籍リーダ等のうち、任意のものとされる。
【００２０】
図１から図３に示されるのは、本考案の実施例の表示図であり、本考案の電子書類伝送閲覧の認証システムの最良の実施方式は電子装置（図示せず）に設けられる。該電子装置は、パーソナルコンピュータ（ＰＣ）、シンクライアント（Ｔｈｉｎ  Ｃｌｉｅｎｔ）、タブレット型コンピュータ、ノートブック型コンピュータ、携帯電話、携帯情報端末装置、或いは電子書籍リーダ等のうち、任意のものとされる。本考案の認証システムは上流のＡ社及び上流のＢ社が暗号化電子ファイル１０を同一の下請けのＣ社に提供する時、下請けのＣ社がＡ社の暗号化電子ファイル１０を不注意からＢ社に転送或いは漏洩するか、或いはＢ社の暗号化電子ファイル１０を不注意からＡ社に転送或いは漏洩するのを防止し、暗号化電子ファイル１０の安全性を確保する。
【００２１】
該認証システムは、暗号化電子ファイル１０、認証端２０、エージェント（Ａｇｅｎｔ）３０、電子認証ファイル４０及びアプリケーションプログラム５０を包含し（図１のとおり）、該暗号化電子ファイル１０内に、開かれたいファイルが設けられる。
【００２２】
該暗号化電子ファイル１０内には第１キー１１が設けられ、該第１キー１１は第１キー（ｋｅｙ）制御パラメータセット４２内の第１キー４２３と同じであり、これにより対比認証が行える。
【００２３】
また、該電子認証ファイル４０内に第１組シリアルナンバー４１、第１キー（ｋｅｙ）制御パラメータセット４２及びアプリケーション制御パラメータセット４３が設けられ、且つ該第１キー（ｋｅｙ）制御パラメータセット４２内に第２組シリアルナンバー４２１、キー制御パラメータ４２２及び第１キー４２３が設けられる。
【００２４】
該キー制御パラメータ４２２はアクセス権限パラメータリスト（ＡＣＬ）４２２１を包含し、これにより暗号化電子ファイル１０の権限パラメータを限定する。これにより、暗号化電子ファイル１０が読み取られる時、アクセス権限パラメータリスト（ＡＣＬ）４２２１の設定により使用の内容が制限或いは開放される。
【００２５】
また、アプリケーション制御パラメータセット４３内に第３組シリアルナンバー４３１及びアプリケーション制御パラメータ４３２が設けられ、該アプリケーション制御パラメータ４３２内に暗号化電子ファイル１０のオープンフォーマットと暗号化電子ファイル１０の操作モードが設定され、たとえば、暗号化電子ファイル１０が設計図ファイルの時、オープンフォーマットは通用のＣＡＤファイルであれば開いて閲覧できるように設定でき、或いはオープンフォーマットをＡＵＴＯＣＡＤソフトウエアのみで開いて閲覧できるようにも限定でき、操作モード中でプリント或いはコピー項目に制限を設けるか否かによりファイルの複製を予防できる。
【００２６】
また、電子認証ファイル４０はエージェント（Ａｇｅｎｔ）３０と接続されて、エージェント（Ａｇｅｎｔ）３０が内部のデータの読み取り或いは取り出して相互に符合するかを対比分析するのに供される。
【００２７】
さらに、該アプリケーションプログラム５０もまたエージェント（Ａｇｅｎｔ）３０と接続され、エージェント（Ａｇｅｎｔ）３０が認証端２０を電子認証ファイル４０内の第１組シリアルナンバー４１、第２組シリアルナンバー４２１及び第３組シリアルナンバー４３１と対比して、相互に符合すると確認した後、該エージェント（Ａｇｅｎｔ）３０は第１キー（ｋｅｙ）制御パラメータセット４２内のキー制御パラメータ４２２及びアプリケーション制御パラメータセット４３のアプリケーション制御パラメータ４３２をアプリケーションプログラム５０に提供し、アプリケーションプログラム５０に暗号化電子ファイル１０を開かせ、暗号化電子ファイル１０内のファイルを操作使用できるようにし、全体の認証システムに安全性を備えさせる。
【００２８】
本考案の上述の構造はシリアル制御の認証方式を採用し、これにより暗号化電子ファイル１０が伝送閲覧中に、一つのノードのエラーによる暗号化電子ファイル１０が漏洩する危機を防止する。たとえば、上流のＡ社及び上流のＢ社が暗号化電子ファイル１０を同一の下請けＣ社に提供する時、そのうち該認証システムは、認証端２０に設けられる。
【００２９】
該認証端２０は二種類が設けられ、一種類はオフライン認証担体２１（図２に示されるとおり）であり、該オフライン認証担体２１はパスワードロックを備えた携帯用ディスク或いは外付け式製品とされ、該オフライン認証担体２１内には第４組シリアルナンバー２１１及びパスワード２１２が設けられる。
【００３０】
該オフライン認証担体２１はエージェント（Ａｇｅｎｔ）３０との接続の後に、まずオフライン認証担体２１内のパスワード（Ｐａｓｓｗｏｒｄ）２１２が同じであるか否かが確認され、同じと確認された後、該オフライン認証担体２１は第４組シリアルナンバー２１１をエージェント（Ａｇｅｎｔ）３０中に送り、並びにエージェント（Ａｇｅｎｔ）３０により電子認証ファイル４０中の第１組シリアルナンバー４１、第１キー（ｋｅｙ）制御パラメータセット４２の第２組シリアルナンバー４２１及びアプリケーション制御パラメータセット４３の第３組シリアルナンバー４３１が読み取られて相互に符合するかが対比され、三者が完全に符合すると確認される場合認証を通過し、エージェント（Ａｇｅｎｔ）３０は第１キー（ｋｅｙ）制御パラメータセット４２内のキー制御パラメータ４２２及びアプリケーション制御パラメータセット４３内のアプリケーション制御パラメータ４３２をアプリケーションプログラム５０に提供し、アプリケーションプログラム５０に暗号化電子ファイル１０を開かせる。
【００３１】
そのうち、特定のアプリケーションプログラム５０でなければ開けないように設定されれば、特定のアプリケーションプログラム５０に符合した時に暗号化電子ファイル１０を開くことができ、或いは暗号化電子ファイル１０を開くためのフォーマットが通用ファイルであれば、いずれも暗号化電子ファイル１０を開くことができる。
【００３２】
本考案の認証システムのもう一種の認証端２０はオンライン認証サービス２２とされ（図３に示されるとおり）、該オンライン認証サービス２２内に第５組シリアルナンバー２２１及びエージェントＩＤ２２２が設けられる。そのうち、該エージェント（Ａｇｅｎｔ）３０中にもエージェントＩＤ３１が設けられる。
【００３３】
オンライン認証サービス２２とエージェント（Ａｇｅｎｔ）３０が接続される時、該エージェント（Ａｇｅｎｔ）３０はまずオンライン認証サービス２２内のエージェントＩＤ２２２がエージェント（Ａｇｅｎｔ）３０のエージェントＩＤ３１と符合するかを対比し、相互に符合することを確認すると、該オンライン認証サービス２２は第５組シリアルナンバー２２１をエージェント（Ａｇｅｎｔ）３０中に伝送し、エージェント（Ａｇｅｎｔ）３０が電子認証ファイル４０中の第１組シリアルナンバー４１、第１キー（ｋｅｙ）制御パラメータセット４２の第２組シリアルナンバー４２１及びアプリケーション制御パラメータセット４３の第３組シリアルナンバー４３１と対比確認し、三者が完全に相互に符合すると、認証通過し、エージェント（Ａｇｅｎｔ）３０が第１キー（ｋｅｙ）制御パラメータセット４２内のキー制御パラメータ４２２及びアプリケーション制御パラメータセット４３内のアプリケーション制御パラメータ４３２をアプリケーションプログラム５０に提供し、アプリケーションプログラム５０に暗号化電子ファイル１０を開かせる。
【００３４】
そのうち、もし特定のアプリケーションプログラム５０でなければ開けないように設定されれば、特定のアプリケーションプログラム５０に符合した時に暗号化電子ファイル１０を開くことができ、或いは暗号化電子ファイル１０を開くためのフォーマットが通用ファイルであれば、いずれも暗号化電子ファイル１０を開くことができる。
【００３５】
これにより、下請けのＣ社が上流のＡ社或いは上流のＢ社のいずれの暗号化電子ファイル１０を開くときにも、いずれもシリアル認証の方式により各ノードがいずれも認証対比を経過する。上述の認証方式を通過しなければ暗号化電子ファイル１０を開けず、そのうち一つのノードの対比において符合しなければ、その暗号化電子ファイル１０は開くことができない。これにより、上述の認証システムにより、暗号化電子ファイル１０の伝送閲覧或いはレンタル閲覧が絶対的な機密保持と安全性を有するものとなる。
【００３６】
以上述べたことは、本考案の実施例にすぎず、本考案の実施の範囲を限定するものではなく、本考案の権利請求の範囲に基づき達成可能な同等の変化と修飾は、いずれも本考案の権利のカバーする範囲内に属するものとする。
【符号の説明】
【００３７】
１０  暗号化電子ファイル
１１  第１キー（ｋｅｙ）
２０  認証端
２１  オフライン認証担体
２１１  第４組シリアルナンバー
２１２  パスワード（Ｐａｓｓｗｏｒｄ）
２２  オンライン認証サービス
２２２  エージェントＩＤ
３０  エージェント（Ａｇｅｎｔ）
３１  エージェントＩＤ
４０  電子認証ファイル
４１  第１組シリアルナンバー
４２  第１キー（ｋｅｙ）制御パラメータセット
４２１  第２組シリアルナンバー
４２２  キー制御パラメータ
４２２１  アクセス権限パラメータリスト（ＡＣＬ）
４２３  第１キー（ｋｅｙ）
４３  アプリケーション制御パラメータセット
４３１  第３組シリアルナンバー
４３２  アプリケーション制御パラメータ
５０  アプリケーションプログラム
【手続補正２】
【補正対象書類名】実用新案登録請求の範囲
【補正対象項目名】全文
【補正方法】変更
【補正の内容】
【実用新案登録請求の範囲】
【請求項１】
電子書類伝送閲覧の認証システムにおいて、該認証システムは電子装置に設けられ、
開かれようとするファイルが設けられた暗号化電子ファイルと、
対比認証される認証端と、
該認証端と接続されて、データを読み取り対比分析を行うエージェントと、
電子認証ファイルであって、第１組シリアルナンバー、第１キー制御パラメータセット及びアプリケーション制御パラメータセットを包含し、且つ該第１キー制御パラメータセット内に第２組シリアルナンバーが設けられ、別に該アプリケーション制御パラメータセット内に第３組シリアルナンバーが設けられ、該電子認証ファイルは該エージェントと接続され、該エージェントによるデータ読み取りと対比分析に供される上記電子認証ファイルと、
アプリケーションプログラムであり、該エージェントと接続され、該エージェントが該認証端を該電子認証ファイル内の第１組シリアルナンバー、第２組シリアルナンバー及び第３組シリアルナンバーと対比した後、該第１キー制御パラメータセット及び該アプリケーション制御パラメータセットを該アプリケーションプログラムに提供し、これにより、該アプリケーションプログラムに該暗号化電子ファイルを開く機能を備えさせ、該暗号化電子ファイル内のファイルを読み取らせ操作使用に供する上記アプリケーションプログラムと、
を包含したことを特徴とする、電子書類伝送閲覧の認証システム。
【請求項２】
請求項１記載の電子書類伝送閲覧の認証システムにおいて、該認証端はオフライン認証担体とされ、該オフライン認証担体内に第４組シリアルナンバー及びパスワードが設けられ、且つ該オフライン認証担体中の第４組シリアルナンバーは該エージェントにより読み取られて該電子認証ファイル中の第１組シリアルナンバー、第２組シリアルナンバー及び第３組シリアルナンバーと相互に符合するかが対比確認されることを特徴とする、電子書類伝送閲覧の認証システム。
【請求項３】
請求項１記載の電子書類伝送閲覧の認証システムにおいて、該認証端はオンライン認証サービスとされ、該オンライン認証サービス内に第５組シリアルナンバー及びエージェントＩＤが設けられ、且つ該オンライン認証サービス中の第５組シリアルナンバーは該エージェントにより読み取られて該電子認証ファイル中の第１組シリアルナンバー、第２組シリアルナンバー及び第３組シリアルナンバーと相互に符合するかが対比確認されることを特徴とする、電子書類伝送閲覧の認証システム。
【請求項４】
請求項３記載の電子書類伝送閲覧の認証システムにおいて、該エージェント中にエージェントＩＤが設けられ、該オンライン認証サービスが該エージェントと接続される時、まず該オンライン認証サービス内のエージェントＩＤが該エージェントのエージェントＩＤと相互に符合するかが対比されることを特徴とする、電子書類伝送閲覧の認証システム。
【請求項５】
請求項１記載の電子書類伝送閲覧の認証システムにおいて、該電子認証ファイルのアプリケーション制御パラメータセット内にさらにアプリケーション制御パラメータが設けられ、該アプリケーション制御パラメータは該暗号化電子ファイルのオープンフォーマット及び該暗号化電子ファイルの操作モードを設定するためのものであることを特徴とする、電子書類伝送閲覧の認証システム。
【請求項６】
請求項１記載の電子書類伝送閲覧の認証システムにおいて、該電子認証ファイルの第１キー制御パラメータセット内にキー制御パラメータ及び第１キーが設けられ、該キー制御パラメータはアクセス権限パラメータリストを包含することを特徴とする、電子書類伝送閲覧の認証システム。
【請求項７】
請求項１記載の電子書類伝送閲覧の認証システムにおいて、該暗号化電子ファイル内に第１キーが設けられたことを特徴とする、電子書類伝送閲覧の認証システム。
【請求項８】
請求項１記載の電子書類伝送閲覧の認証システムにおいて、該電子装置は、パーソナルコンピュータ、シンクライアント（Ｔｈｉｎ  Ｃｌｉｅｎｔ）、タブレット型コンピュータ、ノートブック型コンピュータ、携帯電話、携帯情報端末装置、電子書籍リーダのうち、任意のものとされることを特徴とする、電子書類伝送閲覧の認証システム。